【事件の表示】
　平成　４年特許願第２８００８８号「液晶表示装置」拒絶査定に対する審判事件〔平成　６年　５月１３日出願公開、特開平　６−１３０３７７、請求項の数（１）〕について、次のとおり審決する。
【結　論】
　原査定を取り消す。
　本願の発明は、特許すべきものとする。
【理　由】
１．本願発明
　本願は、平成４年１０月１９日に特許出願したものであって、その請求項１に係る発明は、補正された明細書および図面の記載からみて、その特許請求の範囲の請求項１に記載された事項により特定される次のとおりのものである。
「【請求項１】　　一対の基板間の封止部の内側に液晶が挟持されてなり、
　前記一対の基板の一方の基板の前記封止部の内側にはトランジスタと、前記トランジスタ上に絶縁膜を介して配置された画素電極とを有し、前記絶縁膜は前記一方の基板上の前記封止部に対向する領域に配置されてなり、前記一方の基板の前記封止部の外側に前記トランジスタを駆動する駆動回路が配置されてなる液晶表示装置において、
　前記駆動回路上には前記絶縁膜が配置されてなり、該絶縁膜を介して前記画素電極と同一膜からなる導電性膜が配置されてなり、
　前記画素電極に対して前記液晶を挟んで対向電極が配置されてなり、前記導電性膜は前記対向電極と同電位であることを特徴とする液晶表示装置。」
　
２．刊行物記載の発明
　原査定の拒絶の理由に引用された、この出願前公知の刊行物である特開昭５８−８５４４７８号公報（以下、「引用例」という。）には、アクティブマトリクス方式による液晶表示装置に関して、
「基板（１１）・・・透明基板（１２）・・・そして、これら間に形成した液密空間内には、・・・液晶（１３）を封入する。基板（１１）上には、第３図に示すように、液晶表示部を駆動制御する制御回路及び各絵素に対応して設けられる駆動回路等を構成する半導体回路が設けられる。半導体基板（１１）の周辺部には、・・・制御回路（１）及び（２）を構成する周辺回路部Ｓが設けられ、これより内側において表示部Ｅの複数の絵素部が・・・マトリクス状に配列される。そして・・・これら表示部に対応して・・・スイッチング用のＭＯＳトランジスタが形成される。」（２頁左上欄１８行〜右上欄１９行）、
「各導電層（１７）及び（２０）の相互の接続等を行う金属配線層例えばＡｌ層（２２）が所定のパターンに形成されてこれの上に表面が平滑化されるようにいわゆるガラスフローされた燐ガラス或いはポリイミド系樹脂等による絶縁層（２３）が被着される。そしてこの絶縁層（２３）上に液晶（１３）に電圧を与えるための電極特に表示部Ｅすなわち各絵素に対応して設けられる絵素電極（２４）と、周辺回路部Ｓ上に対向する部分、言い換えれば本来の表示部以外で且つ液晶（１３）の四周に対する例えばリング状の周辺電極（２５）と、更に端子部（３２）とを配置する。」（２頁左下欄２０行〜右下欄１０行）、
「また、透明基板（１２）の表示部Ｅを構成する部分の内面には、各絵素電極（２４）に対して共通の対向電極（２９）となる透明電極例えばＳｎＯ２・・・等が被着される。この対向電極（２９）は例えば配向層（２８）に穿設された窓を通じて遮光電極（２７）に電気的に接続されて例えばこれらに接地電位が供給される。・・・（３０）は基板（１１）及び透明基板（１２）間の間隔を規制して液晶（１３）の封入空間の厚さを規制するスペーサとなり且つ液晶封入空間を液密に保持する障壁でまた（３１）はＡｇペースト・・・等よりなる導電体で、例えば遮光電極（２７）とこれに対応する端子部（３２）とを電気的に接続する。・・・そして特に本発明においては、周辺電極（２５）に遮光電極（２７）と同電位の接地電位が与えられて液晶（１３）の表示部以外の周辺回路部における液晶が無電界状態となるようにする。」（３頁左上欄３行〜右上欄３行）、
「対向する周辺電極（２５）と遮光電極（２７）とに同電位が与えられるのでこの部分には電界が与えられない状態に保持されるものであり、これがためここにおける液晶の疲労が生じることがなくこの疲労による液晶の特性低下が他の本来の表示部に及んで行く不都合を回避できる。」（３頁右上欄１０〜１６行）と記載されている。
　また、第３図には、基板（１１）上に、ＭＯＳトランジスタと、その上にポリイミド系樹脂等による絶縁層（２３）を介して配置された絵素電極（２４）を有し、スペーサ（３０）の内側の制御回路を構成する周辺回路部上及び前記スペーサ（３０）に対向する領域に前記絶縁層（２３）が配置されてなり、該絶縁層を介して前記絵素電極（２４）と同一層で形成された周辺電極（２５）が配置されてなり、透明基板（１２）の内面に、絵素電極（２４）に対して対向電極（２９）が、また、周辺電極（２５）に対して遮光電極（２７）が配置され、前記遮光電極（２７）と周辺電極（２５）が導電体（３１）を介して接続されたものが図示されている。
　上記によれば、引用例には、
「基板と透明基板の間に空間を液密に保持する障壁であるスペーサを設け、その液密空間内に液晶を封入し、前記基板上に、ＭＯＳトランジスタと、その上にポリイミド系樹脂等による絶縁層を介して配置された絵素電極を有し、前記スペーサに対向する領域及び前記スペーサの内外に渡って配置された周辺回路部上に前記絶縁層が配置されてなり、該絶縁層を介して前記絵素電極と同一層で形成されたリング状の周辺電極が配置され、前記透明基板の内面には、各絵素電極に対して共通の対向電極が、また、前記周辺電極に対して遮光電極が配置されてなり、前記対向電極及び周辺電極に前記遮光電極と同電位の接地電位が与えられた液晶表示装置。」の発明（以下、「引用発明」という。）が記載されている。
　
３．対比
　本願の請求項１に係る発明（以下、「本願発明」という。）と引用発明とを対比する。
　引用発明の「基板と透明基板」、「空間を液密に保持する障壁であるスペーサ」、「基板」、「ＭＯＳトランジスタ」、「絵素電極」、「絶縁層」、「周辺回路部」は、本願発明の「一対の基板」、「封止部」、「一方の基板」、「トランジスタ」、「画素電極」、「絶縁膜」、「トランジスタを駆動する駆動回路」に各々相当し、引用発明の「周辺電極」は、絵素電極と同一層で形成されているのであるから、本願発明の「画素電極と同一膜からなる導電性膜」であることは明らかである。
　よって、両者は、
「一対の基板間の封止部の内側に液晶が挟持されてなり、前記一対の基板の一方の基板の前記封止部の内側にはトランジスタと、前記トランジスタ上に絶縁膜を介して配置された画素電極とを有し、前記絶縁膜は前記一方の基板上の前記封止部に対向する領域に配置されてなり、前記一方の基板に前記トランジスタを駆動する駆動回路が配置されてなる液晶表示装置において、
　前記駆動回路上には前記絶縁膜が配置されてなり、該絶縁膜を介して前記画素電極と同一膜からなる導電性膜が配置されてなり、前記画素電極に対して前記液晶を挟んで対向電極が配置されてなり、前記導電性膜は前記対向電極と同電位であることを特徴とする液晶表示装置。」で一致し、下記の点で相違する。
　（相違点）本願発明は、トランジスタを駆動する駆動回路を封止部の外側に配置したのに対して、引用発明は、封止部の内外に渡って配置した点。
　
４．判断
　上記相違点に付き検討する。
　この種、駆動回路を内蔵する液晶表示装置において、駆動回路をシール材（本願発明の「封止部」に相当。以下、封止部という。）の内側、外側或いは封止部の下部等に配置することは、従来周知の事項（例えば、特開昭６２−２５１７２３号公報の特に第３図、４図、特開平２−４２４２０号公報の特に第１４図〜第１９図及び特開昭６２−２５１７２３号公報参照。）である。
　しかし、引用発明において、周辺回路部上の周辺電極は、前掲のとおり、対向配置された遮光電極と同電位が与えられることによって、この部分に電界が与えられず、この部分における液晶の疲労が生じることがないので、液晶の特性劣化が本来の表示部に及んでいくことを回避できるというものであるから、周辺回路部が封止材の内側に配置される場合においてはじめて、その技術的意義を有するものである。結局、引用発明には、周辺回路部を封止部材の外側に配置しようとする考えはない。また、仮に、上記周知事項に基づいて周辺回路部を封止材の外側に配置するとしても、絶縁層を介して配置した周辺電極（絶縁膜を介して配置された画素電極と同一膜からなる導電性膜）までも、封止材の外側にそのまま残すべき理由はみいだせない。
　したがって、「封止部の外側に前記トランジスタを駆動する駆動回路が配置されてなる液晶表示装置において、駆動回路上に前記絶縁膜を介して前記画素電極と同一膜からなる導電性膜を配置する」構成を含む本願発明は、上記周知事項を参酌しても、引用発明に基づいて当業者が容易に発明をすることができたものとはいえない。
　また、他に本願を拒絶すべき理由を発見しない。
　よって、結論のとおり審決する。